(57)【要約】　　　（修正有）【課題】より高速に画素を所定電圧レベルに到達させるようにした、液晶ディスプレイの駆動回路および駆動方法を提供する。【解決手段】事前充電パルスと映像信号とをデータ電極へ供給してから、走査信号をゲート電極へ供給する。事前充電パルスのレベルは、薄膜トランジスターがＮ型の場合、表示ユニットが正極性のときは共通電極電圧より高く且つ階調変化を最大とさせる電圧値であり、負極性のときは共通電極電圧より低く且つ階調変化を最大とさせる電圧値より高い電圧値とする。一方、薄膜トランジスターがＰ型の場合、表示ユニットが正極性のときは共通電極電圧より高く且つ階調変化を最大とさせる電圧より低い電圧値であり、負極性のときに共通電極電圧より低く且つ階調変化を最大とさせる電圧値である。【選択図】　図１
2004145310.tif 000002
【特許請求の範囲】
【請求項１】
　複数の表示ユニットと、
　共通電極電圧、データ電極、ゲート電極にそれぞれ接続され、且つ、前記表示ユニットに対応する複数のＮ型の薄膜トランジスターと、
　を備えた液晶ディスプレイ・パネルに適用される液晶ディスプレイ・パネルの駆動方法であって、
　事前充電パルスと映像信号とを前記データ電極に供給するステップと、
　走査信号を前記ゲート電極に供給するステップとを有し、
　前記事前充電パルスのレベルは、前記表示ユニットが正極性であるときに、前記共通電極電圧より高いもので且つ前記表示ユニットの階調変化を最大とさせるような電圧値であり、一方、前記表示ユニットが負極性であるときに、前記共通電極電圧より低いもので且つ前記表示ユニットの階調変化を最大とさせるような電圧値より高い電圧値であることを特徴とする液晶ディスプレイ・パネルの駆動方法。
【請求項２】
　前記事前充電パルスのレベルが、前記表示ユニットが負極性であるときに、前記共通電極電圧よりやや低いもので、且つ、前記表示ユニットの階調変化を最大とさせるような電圧値と前記共通電極電圧との平均値である請求項１に記載の液晶ディスプレイ・パネルの駆動方法。
【請求項３】
　複数の表示ユニットと、
　共通電極電圧、データ電極、ゲート電極にそれぞれ接続され、且つ、前記表示ユニットに対応する複数のＰ型の薄膜トランジスターと、
　を備えた液晶ディスプレイ・パネルに適用される液晶ディスプレイ・パネルの駆動方法であって、
　事前充電パルスと映像信号とを前記データ電極に供給するステップと、
　走査信号を前記ゲート電極に供給するステップとを有し、
　前記事前充電パルスのレベルは、前記表示ユニットが正極性であるときに、前記共通電極電圧より高いもので且つ前記表示ユニットの階調変化を最大とさせるような電圧値より低い電圧値であり、一方、前記表示ユニットが負極性であるときに、前記共通電極電圧より低いもので且つ前記表示ユニットの階調変化を最大とさせるような電圧値であることを特徴とする液晶ディスプレイ・パネルの駆動方法。
【請求項４】
　前記事前充電パルスのレベルが、前記表示ユニットが正極性であるときに、前記共通電極電圧よりやや高いもので、且つ、前記表示ユニットの階調変化を最大とさせるような電圧値と前記共通電極電圧との平均値である請求項３に記載の液晶ディスプレイ・パネルの駆動方法。
【請求項５】
　複数の表示ユニットと、
　共通電極電圧、データ電極、ゲート電極にそれぞれ接続され、且つ、前記表示ユニットに対応する複数の薄膜トランジスターと、
　を備えた液晶ディスプレイ・パネルに適用される液晶ディスプレイ・パネルの駆動回路であって、
　走査信号を前記ゲート電極に供給するためのゲート・ドライバーと、
　事前充電パルスを前記データ電極に供給するための事前充電パルス発生器と、
　映像信号を前記データ電極に供給するためのデータ・ドライバーとを備え、
　前記事前充電パルスのレベルは、前記表示ユニットが正極性であるときに、前記共通電極電圧より高いもので且つ前記表示ユニットの階調変化を最大とさせるような電圧値より低い電圧値であり、一方、前記表示ユニットが負極性であるときに、前記共通電極電圧より低いもので且つ前記表示ユニットの階調変化を最大とさせるような電圧値であることを特徴とする液晶ディスプレイ・パネルの駆動回路。
【発明の詳細な説明】
【技術分野】
【０００１】
　本発明は、液晶ディスプレイ・パネルの駆動方法および駆動回路に関し、特に、事前充電（pre-charging）方式を用いて液晶ディスプレイ装置（ＬＣＤ）を駆動するための液晶ディスプレイ・パネルの駆動方法および駆動回路に関するものである。
【背景技術】
【０００２】
　現在公知となっている液晶ディスプレイ装置（ＬＣＤ）は、マトリクス状に配列された複数の画素（pixel）から構成されており、各画素の中の液晶がその上にある電圧差により制御されることで、液晶の透過率を変化させ、画面上に所望の階調を実現することができる。
【０００３】
　図３には、従来の液晶ディスプレイ・パネル（以下、“ＬＣＤパネル”と称する）及びその周辺駆動回路の等価回路の概略図を示している。図３に示されたように、ＬＣＤパネル１は、データ電極（Ｄ１、Ｄ２、・・・、Ｄｍ）とゲート電極（Ｇ１、Ｇ２、・・・、Ｇｎ）とが互いに縦横交差して形成されている。データ電極とゲート電極との各組み合せは、１つの表示ユニット（display　unit）を制御する。例えば、データ電極Ｄ１とゲート電極Ｇ１との組み合せは、表示ユニット２００を制御する。図示されるように、各表示ユニットの等価回路は、主に、データの通過を制御するための薄膜トランジスター（Ｑ１１〜Ｑ１ｍ、Ｑ２１〜Ｑ２ｍ、・・・、Ｑｎ１〜Ｑｎｍ）と、蓄積コンデンサ（Ｃ１１〜Ｃ１ｍ、Ｃ２１〜Ｃ２ｍ、・・・、Ｃｎ１〜Ｃｎｍ）とから構成される。これら薄膜トランジスターのゲートとドレインは、ゲート電極（Ｇ１〜Ｇｎ）とデータ電極（Ｄ１〜Ｄｍ）にそれぞれ接続されている。このような接続において、ゲート電極（Ｇ１〜Ｇｎ）を通過する走査信号は、同じ列上（すなわち、同じ走査線上）の全ての薄膜トランジスターをオン／オフにすることができるので、従って、データ電極（Ｄ１〜Ｄｍ）上の映像信号（video　signal）を対応する表示ユニットに書き込むか否かを制御することができる。説明しなければならないのは、各表示ユニットがＬＣＤパネル上のたった１つの明るい点に対応するということである。従って、単色ＬＣＤであれば、各表示ユニットは単一の画素（pixel）にそれぞれ対応し、一方、カラーＬＣＤであれば、各表示ユニットが、赤（Ｒで表す）、青（Ｂで表す）または緑（Ｇで表す）であり得る単一のサブピクセル（subpixel）にそれぞれ対応するということになる。換言すれば、Ｒ、Ｇ、Ｂといった１組のサブピクセル（３つの表示ユニット）は、１つの画素を構成する。
【０００４】
　さらに、図３にはＬＣＤパネル１の駆動回路が示されている。ゲート・ドライバー（gate　driver）１０は、所定の走査順序に従って、各ゲート電極Ｇ１，Ｇ２，…，Ｇｎに走査信号をそれぞれ供給する。あるゲート電極に走査信号が印加されると、その同列或いは同一走査線上の全ての表示ユニット内の薄膜トランジスタはオン状態となる。ある走査線が選択されると、データ・ドライバー２０は、表示すべく映像データに基づいて、対応する映像信号をデータ電極Ｄ１，Ｄ２，…Ｄｍを介してその列につながったｍ個の表示ユニットへ供給する。ゲート・ドライバー１０がｎ列の走査線を一通り走査し終えると、１フレーム（frame）の表示動作が完了したということになる。従って、各走査線の走査を繰り返し、更に映像信号の送出を行うと、画像の連続表示が達成される。なお、図３において、信号ＣＴＲはゲート・ドライバー１０が受信する走査制御データを表し、信号ＬＤはデータ・ドライバー２０のデータ・ラッチ信号を表し、また、信号ＤＡＴＡは入力される映像データを表す。
【０００５】
　ところで、一般的に、データ電極Ｄ１，Ｄ２，…Ｄｍによって転送された映像信号は、共通電極電圧ＶＣＯＭとの関係に基づいて、正極性映像信号（positive　video　signal）と負極性映像信号（negative　video　signal）とに分けることができる。正極性映像信号とは、その電圧が共通電極電圧ＶＣＯＭより高いものであって、さらに、それが表す階調値に基づいて、実際の電圧が電圧Ｖｐ１と電圧Ｖｐ２との間に変動する（通常、共通電極電圧ＶＣＯＭに近いほどその階調値が低い）。一方、負極性映像信号とは、その電圧が共通電極電圧ＶＣＯＭより低いものであって、さらに、それが表す階調値に基づいて、実際の電圧が電圧Ｖｎ１と電圧Ｖｎ２との間に変動する（同様に、共通電極電圧ＶＣＯＭに近いほどその階調値が低い）。同じ階調を正極性映像信号と負極性映像信号とでそれぞれ表現する場合、基本的には同じ表示効果が得られるが、実際にはやはり多少の差異が出る。また、同極性の電圧が加え続けることにより液晶分子の寿命が短くなるのを防ぐために、奇数フレームと偶数フレームにある時に、同じ表示ユニットには極性が逆の映像信号が交互に与えられる。
【０００６】
　図４は、液晶に印加される電圧差と各フレームの時間との関係を示す図である。図４に示されているのは、初期の映像信号の時間であって、ここでフレーム・レート（frame　rate）が６０Ｈｚであるのを例とした場合に、各フレームの時間は１６．６ｍｓになる。その際、蓄積コンデンサ（液晶）が蓄積した電圧（画素電圧）は、図中の点線に示されたように、印加された電圧差に徐々に近づいていき、最後当該電圧差に達してしまう。
【０００７】
　そこで、画素電圧が映像信号レベルに到達する速度を高めるために、データ電極のレベルを予め高めておくことができる。かかる方式は、正／負極性の電圧がそれぞれ液晶分子の階調変化を最大にする電圧値となるまで、データ電極のレベルを事前充電することで実行される。要するに、このような事前充電技術によれば、事前に電圧を変化させておくことで、より短時間に目標としている画素電圧に到達させ得るため、ＬＣＤは一層忠実な階調表現ができるようになる。
【０００８】
　しかしながら、正極性および負極性のいずれの時もデータ電極に対し事前に充／放電を行うようにしている上述した従来の事前充電技術に係る方式には、このような欠点がある。つまり、予め充／放電した結果として、充／放電し過ぎてしまった恐れがあるので、最後の画素電圧を目標電圧に修正し直す必要が生ずることから、目標電圧に達する時間が却って長くなってしまうという点である。従って、事前充電を行うタイミングについては慎重に考慮する必要がある。
【０００９】
　事前充電を実行するタイミングを判断するのに当たっては、薄膜トランジスタのソース／ドレインを流れるドレイン電流Ｉｄの電流量によって決定することができる。その理由として、ドレイン電流Ｉｄの電流量は液晶分子の充放電の速度に直接影響を与えるものである。ドレイン電流Ｉｄの電流値は、薄膜トランジスタのゲート、ドレインおよびソースの電圧に左右される。その関係は下記数１に表すことができる。
（数１）
Ｉｄ＝μ（Ｗ／Ｌ）Ｃｉｎｓ（Ｖｇｓ−Ｖｔｈ）Ｖｄｓ　　　
　ただし、μは電子移動率を表し、ＷとＬはそれぞれ薄膜トランジスタの幅と長さを表し、Ｃｉｎｓは薄膜トランジスタのゲートのコンデンサを表し、Ｖｇｓは薄膜トランジスタのゲートとソースとの間の電圧差を表し、Ｖｔｈは薄膜トランジスタをオンにするためのスレッショルド電圧を表し、Ｖｄｓは薄膜トランジスタのドレインとソースとの間の電圧差を表す。
【００１０】
　上記数１から分かるように、ソース電圧がゲート電圧に近づくほど、Ｖｇｓは小さくなっていくため、Ｉｄも小さくなる。Ｎ型の薄膜トランジスタを例とした場合に、データ・ドライバー２０から供給された映像信号のレベルが液晶画素の電圧より高いときに、液晶画素に対して充電動作が行われることから、薄膜トランジスタのソース電圧は画素電圧となる。一方、データ・ドライバー２０から供給された映像信号のレベルが液晶画素の電圧より低いときに、液晶画素に対して放電動作が行われることから、薄膜トランジスタのソース電圧は映像信号のレベルとなる。よって、Ｖｇｓは、ゲート電圧Ｖｇ（ｏｎ）と、映像信号レベルＶｖｉｄｅｏと画素電圧Ｖｐｉｘｅｌの間の値が小さい方との電圧差である。これを式で表すと下記数２になる。
（数２）
Ｖｇｓ＝Ｖｇ（ｏｎ）−（Ｍｉｎ［Ｖｖｉｄｅｏ，Ｖｐｉｘｅｌ］）
　ここで、Ｖｇ（ｏｎ）を１２Ｖとし、また、ＶｖｉｄｅｏとＶｐｉｘｅｌは１．５Ｖ〜８．９Ｖの範囲にあることとする。負極性の場合に、Ｖｖｉｄｅｏは１．５Ｖとなり、そのときのＶｐｉｘｅｌはＶｖｉｄｅｏより大きいため、Ｖｇｓは１０．５Ｖとなる。この電圧差は、薄膜トランジスタに十分な電流Ｉｄを供給させるのに足るものである。一方、正極性の場合に、ゲート電圧Ｖｇ（ｏｎ）がＶｖｉｄｅｏまたはＶｐｉｘｅｌに近づいていくことによりＶｇｓが小さくなるため、そのときの画素電圧の変化は次のようになる。
【００１１】
　つまり、液晶画素に対して充電が行われると、その時のＶｖｉｄｅｏは８．９Ｖで、Ｖｐｉｘｅｌは７．４Ｖであるため、Ｖｇｓは４．６Ｖ（Ｖｇｓ＝Ｖｇ（ｏｎ）−Ｖｐｉｘｅｌ＝４．６Ｖ）となる。さらに、画素電圧Ｖｐｉｘｅｌが充電により徐々に上昇することに伴ってＶｇｓが次第に低下してＩｄが小さくなるので、画素電圧Ｖｐｉｘｅｌが目標電圧レベルまで到達するのにかかる充電時間は長くなる。
【００１２】
　一方、液晶画素に対して放電が行われると、その時のＶｖｉｄｅｏは７．４Ｖで、Ｖｐｉｘｅｌは８．９Ｖであるため、Ｖｇｓは４．６Ｖ（Ｖｇｓ＝Ｖｇ（ｏｎ）−Ｖｖｉｄｅｏ＝４．６Ｖ）となる。さらに、画素電圧ＶｐｉｘｅｌがＶｖｉｄｅｏのレベルまで放電されるのに伴って、Ｖｇｓが次第に大きくなり、Ｉｄは次第に大きくなるので、画素電圧Ｖｐｉｘｅｌが目標電圧レベルまで到達するのにかかる放電時間は比較的に短い。
【００１３】
　従って、事前充電を実行する必要があるのは、正極性の信号が液晶画素に対して充電を行うときのみである。なお、以上に検討した例は、薄膜トランジスタがＮ型である場合の例であるが、もし薄膜トランジスタがＰ型である場合には、負極性の信号が液晶画素に対して放電を行うときにのみに事前充電を実行することが必要となる。
【発明の開示】
【発明が解決しようとする課題】
【００１４】
　本発明は、上述のような事情に鑑みてなされたものであり、本発明の目的は、事前充電を実行するタイミングを適切に選択することにより、より高速に画素を所定電圧レベルに到達させるようにした、液晶ディスプレイ・パネルの駆動回路および駆動方法を提供することにある。
【課題を解決するための手段】
【００１５】
　上述の目的を実現するために、本発明は、複数の表示ユニットと、共通電極電圧、データ電極、ゲート電極にそれぞれ接続され、且つ、前記表示ユニットに対応する複数のＮ型の薄膜トランジスターと、を備えた液晶ディスプレイ・パネルに適用される液晶ディスプレイ・パネルの駆動方法であって、事前充電パルスと映像信号とを前記データ電極に供給するステップと、走査信号を前記ゲート電極に供給するステップとを有し、前記事前充電パルスのレベルは、前記表示ユニットが正極性であるときに、前記共通電極電圧より高いもので且つ前記表示ユニットの階調変化を最大とさせるような電圧値であり、一方、前記表示ユニットが負極性であるときに、前記共通電極電圧より低いもので且つ前記表示ユニットの階調変化を最大とさせるような電圧値より高い電圧値であるようにすることによって達成される。また、前記事前充電パルスのレベルが、前記表示ユニットが負極性であるときに、前記共通電極電圧よりやや低いもので、且つ、前記表示ユニットの階調変化を最大とさせるような電圧値と前記共通電極電圧との平均値であることが好ましい。　
　本発明はまた、複数の表示ユニットと、共通電極電圧、データ電極、ゲート電極にそれぞれ接続され、且つ、前記表示ユニットに対応する複数のＰ型の薄膜トランジスターとを備えた液晶ディスプレイ・パネルに適用される液晶ディスプレイ・パネルの駆動方法であって、事前充電パルスと映像信号とを前記データ電極に供給するステップと、走査信号を前記ゲート電極に供給するステップとを有し、前記事前充電パルスのレベルは、前記表示ユニットが正極性であるときに、前記共通電極電圧より高いもので且つ前記表示ユニットの階調変化を最大とさせるような電圧値より低い電圧値であり、一方、前記表示ユニットが負極性であるときに、前記共通電極電圧より低いもので且つ前記表示ユニットの階調変化を最大とさせるような電圧値であるようにすることによって達成される。また、前記事前充電パルスのレベルが、前記表示ユニットが正極性であるときに、前記共通電極電圧よりやや高いもので、且つ、前記表示ユニットの階調変化を最大とさせるような電圧値と前記共通電極電圧との平均値であることが好ましい。
【００１６】
　本発明はさらに、複数の表示ユニットと、共通電極電圧、データ電極、ゲート電極にそれぞれ接続され、且つ、前記表示ユニットに対応する複数の薄膜トランジスターと、を備えた液晶ディスプレイ・パネルに適用される液晶ディスプレイ・パネルの駆動回路であって、走査信号を前記ゲート電極に供給するためのゲート・ドライバーと、事前充電パルスを前記データ電極に供給するための事前充電パルス発生器と、映像信号を前記データ電極に供給するためのデータ・ドライバーとを備え、前記事前充電パルスのレベルは、前記表示ユニットが正極性であるときに、前記共通電極電圧より高いもので且つ前記表示ユニットの階調変化を最大とさせるような電圧値より低い電圧値であり、一方、前記表示ユニットが負極性であるときに、前記共通電極電圧より低いもので且つ前記表示ユニットの階調変化を最大とさせるような電圧値であるようにすることによって達成される。
【発明の効果】
【００１７】
　本発明に係る液晶ディスプレイ・パネルの駆動方法および駆動回路によれば、Ｎ型の薄膜トランジスタを採用した場合は、負極性のときに液晶画素を事前充電せず、一方、Ｐ型の薄膜トランジスタを採用した場合は、正極性のときに液晶画素を事前充電しないようにしているので、画素電圧が目標レベルに到達する時間を短縮することができ、液晶ディスプレイ装置の表示品位を高めることが可能となる。
【発明を実施するための最良の形態】
【００１８】
　本発明を一層理解できるように、図面を参照しながら、実施例を例示し、本発明を以下のように詳細に説明する。なお、説明した実施例は本発明を制限するものでないことは言うまでもない。　
　図１は、本発明の実施形態による液晶ディスプレイ装置の表示ユニット及びその駆動回路を説明するための概略図である。図１においては、単一の表示ユニットの回路構成のみ図示されているが、全体的な液晶ディスプレイ装置の回路構成は、図３に示すものと同様であるため、ここで省略することにした。１本のデータ電極Ｄｍと１本のゲート電極Ｇｎは、１個の表示ユニット（display　unit）を制御する。図１に示されるように、各表示ユニットの等価回路は、主に、表示データの通過を制御するための薄膜トランジスターＱｍｎと蓄積コンデンサＣｍｎとから構成される。薄膜トランジスターのゲートとドレインは、ゲート電極Ｇｎとデータ電極Ｄｍにそれぞれ接続されている。このような接続において、ゲート電極Ｇｎを通過する走査信号は、同じ列上（すなわち、同じ走査線上）の全ての薄膜トランジスターをオン／オフにすることができるので、従って、データ電極Ｄｍ上の映像信号（video　signal）を対応する表示ユニットに書き込むか否かを制御することができる。さらに、転送ゲート６１および６２は、液晶ディスプレイ・パネルにおける所定の領域の表示を制御するのに用いられ、スイッチング信号ＨＳＷおよびＰＳＷによってそれぞれ制御される。説明しなければならないのは、各表示ユニットがＬＣＤパネル上のたった１つの明るい点に対応するということである。従って、単色ＬＣＤであれば、各表示ユニットは単一の画素（pixel）にそれぞれ対応し、一方、カラーＬＣＤであれば、各表示ユニットが、赤（Ｒで表す）、青（Ｂで表す）または緑（Ｇで表す）であり得る単一のサブピクセル（subpixel）にそれぞれ対応するということになる。換言すれば、Ｒ、Ｇ、Ｂといった１組のサブピクセル（３つの表示ユニット）は、１つの画素を構成する。
【００１９】
　次に、図１を参照にして駆動回路の部分について説明する。ゲート・ドライバー（gate　driver）３０は、所定の走査順序に従って、各ゲート電極に走査信号（走査パルスとも称する）をそれぞれ供給する。あるゲート電極に走査信号が印加されると、その同列或いは同一走査線上の全ての表示ユニット内の薄膜トランジスタはオン状態となる。ある走査線が選択されると、データ・ドライバー４０は、表示すべく映像データに基づいて、対応する映像信号をデータ電極Ｄｍを介してその列につながったｍ個の表示ユニットへ供給する。
【００２０】
　また、本発明の実施形態では、事前充電パルス発生器５０は、事前充電パルスをデータ電極Ｄｍに供給するためのものである。上述したように、事前充電パルスのレベルは、表示ユニットが正極性にあるとき、共通電極電圧ＶＣＯＭより高いものであり、且つ表示ユニットの階調変化を最大にさせるような電圧値（正の最大値）である。一方、表示ユニットが負極性にあるときに、事前充電パルスのレベルは、共通電極電圧ＶＣＯＭより低いものであり、且つ表示ユニットの階調変化を最大とさせるような電圧値より高いもので、即ち、表示ユニットの階調変化を最大とさせるような電圧値（負の最大値）でない。よって、負極性のときにおいて、事前充電パルスのレベルは、負極性の中間階調値または共通電極電圧ＶＣＯＭであり得るか、ひいては供給すること自体がなされなくてもよい。
【００２１】
　また、上述した実施例において、Ｎ型の薄膜トランジスターを例に挙げて説明したが、Ｐ型の薄膜トランジスターの場合に、事前充電パルスのレベルは、表示ユニットが負極性にあるときに、共通電極電圧ＶＣＯＭより低いものであり、且つ表示ユニットの階調変化を最大とさせるような電圧値（負の最大値）である。一方、表示ユニットが正極性にあるときに、事前充電パルスのレベルは、共通電極電圧ＶＣＯＭより高いものであり、且つ表示ユニットの階調変化を最大とさせるような電圧値より低いもので、即ち、表示ユニットの階調変化を最大とさせるような電圧値（正の最大値）でない。よって、正極性のときにおいて、事前充電パルスのレベルは、正極性の中間階調値または共通電極電圧ＶＣＯＭであり得るか、ひいては供給すること自体がなされなくてもよい。
【００２２】
　図２は、本発明の実施形態による液晶ディスプレイ装置の信号タイミング図である。ここでは、正極性で且つ目標画素電圧が８．９Ｖであるときに、８．９Ｖの事前充電パルスを印加するものを例とする。先ず、事前充電パルス発生器５０から転送ゲート６２に事前充電パルスが供給され、スイッチング信号ＰＳＷが転送ゲート６２をオンにすると、データ電極Ｄｍのレベルがこれによって引き上げられ、事前充電パルスのレベル８．９Ｖに達する。次いで、ゲート電極Ｇｎにハイレベルのゲート走査信号が印加されると、コンデンサ結合作用によって、データ電極のレベルがやや低下すると共に、画素電圧が上昇し、これと同時にスイッチング信号ＨＳＷが転送ゲート６１をオンにする。その後、データ・ドライバー４０から供給された映像信号（８．９Ｖ）により、目標レベルである８．９Ｖに到達するまで、データ電極と画素電圧のレベルが引き続き上昇する。なお、事前充電パルスのレベルは映像信号と同じであるため、図中では映像信号しか表示されていない。
【００２３】
　このような事前充電動作によって、データ電極および画素のレベルを事前に高めておくことができるので、より短時間に画素電圧Ｖｐｉｘｅｌを目標レベルに到達させることが可能となる。また、Ｎ型の薄膜トランジスターの場合には、表示ユニットが負極性のときに事前充電を行う必要はないが、事前充電を行うのであれば、共通電極電圧ＶＣＯＭの負の最大値より低い値になるまで充電しないようにし、過度な事前充電で画素電圧が目標レベルに到達する時間を引き延ばさないように注意しなければならない。
【００２４】
　本発明の好適な実施例を以上のように例示したが、これは本発明を限定するものではなく、本発明の精神および範囲を逸脱しない限りにおいては、当業者であれば行い得る多少の変更や修飾を附加することは可能である。従って、本発明が保護を請求する範囲は、特許請求の範囲を基準とする。
【図面の簡単な説明】
【００２５】
【図１】本発明の実施形態に係る液晶ディスプレイ装置の表示ユニットおよびその駆動回路を示す概略図である。
【図２】本発明の実施形態に係る液晶ディスプレイ装置の信号タイミング図である。
【図３】従来の薄膜トランジスター液晶ディスプレイ・パネルおよびその周辺駆動回路の等価回路を示す概略図である。
【図４】液晶に印加される電圧差と各フレームの時間との関係を示す図である。
【符号の説明】
【００２６】
１　　　　　　液晶ディスプレイ・パネル
１０，３０　　ゲート・ドライバー
２０，４０　　データ・ドライバー
２００　　　　表示ユニット
５０　　　　　事前充電パルス発生器
６１，６２　　転送ゲート
Ｄ１，Ｄ２，Ｄ３，…，Ｄｍ　　データ電極
Ｇ１，Ｇ２，…，Ｇｎ　　　　　ゲート電極
ＨＳＷ，ＰＳＷ　　　　　　　　スイッチング信号
Ｑ１１〜Ｑ１，Ｑ２１〜Ｑ２，…，Ｑｎ１〜Ｑｎｍ　　　　薄膜トランジスター
Ｃ１１〜Ｃ１ｍ，Ｃ２１〜Ｃ２ｍ，…，Ｃｎ１〜Ｃｎｍ　　蓄積コンデンサ
【図１】
2004145310.tif 000003
【図２】
2004145310.tif 000004
【図３】
2004145310.tif 000005
【図４】
2004145310.tif 000006